(57)【特許請求の範囲】
【請求項１】
車両の前面を構成するフロントバンパを含む車体前部構造において、
当該車体前部構造は、前記フロントバンパの車両後方側に配置され前面視で枠型の形状を有する枠形状部材と、
車体の骨格を構成する車体構造部材とを更に含み、
前記枠形状部材は、
上下方向に延びる一対の縦壁部と、
車幅方向に延びて前記一対の縦壁部の上部を接続する上側横壁部と、
車幅方向に延びて前記一対の縦壁部の下部を接続する下側横壁部とを有し、
前記上側横壁部および前記下側横壁部の後端は、前記車体構造部材に取り付けられていて、
前記上側横壁部および前記下側横壁部の少なくとも一方の前端は、前記フロントバンパの背面近傍に位置し、
当該車体前部構造は更に、前記フロントバンパの車両後方側に配置された熱交換部品を含み、
前記車体構造部材は、前記フロントバンパと前記熱交換部品との間に配置され前記前面視で前記熱交換部品に重なる位置で車幅方向に延びるバンパメンバと、該熱交換部品の上方に配置されて車幅方向に延びるフードロックメンバとを有し、
前記枠形状部材は、前記フロントバンパと前記熱交換部品との間であって前記バンパメンバの上方に配置されて該熱交換部品に外気を誘導するアッパシュラウドであり、
前記アッパシュラウドの前記上側横壁部の後端がフードロックメンバに、前記下側横壁部の後端が前記バンパメンバにそれぞれ取り付けられ、
前記アッパシュラウドの前記下側横壁部の前端が前記フロントバンパの背面近傍に位置することを特徴とする車体前部構造。
【請求項２】
車両の前面を構成するフロントバンパを含む車体前部構造において、
当該車体前部構造は、前記フロントバンパの車両後方側に配置され前面視で枠型の形状を有する枠形状部材と、
車体の骨格を構成する車体構造部材とを更に含み、
前記枠形状部材は、
上下方向に延びる一対の縦壁部と、
車幅方向に延びて前記一対の縦壁部の上部を接続する上側横壁部と、
車幅方向に延びて前記一対の縦壁部の下部を接続する下側横壁部とを有し、
前記上側横壁部および前記下側横壁部の後端は、前記車体構造部材に取り付けられていて、
前記上側横壁部および前記下側横壁部の少なくとも一方の前端は、前記フロントバンパの背面近傍に位置し、
当該車体前部構造は更に、前記フロントバンパの車両後方側に配置された熱交換部品を含み、
前記車体構造部材は、前記フロントバンパと前記熱交換部品との間に配置され前記前面視で前記熱交換部品に重なる位置で車幅方向に延びるバンパメンバと、該熱交換部品の下方に配置されて車幅方向に延びるロアクロスメンバとを有し、
前記枠形状部材は、前記フロントバンパと前記熱交換部品との間であって前記バンパメンバの下方に配置されて該熱交換部品に外気を誘導するロアシュラウドであり、
前記ロアシュラウドの前記上側横壁部の後端がバンパメンバに、前記下側横壁部の後端が前記ロアクロスメンバにそれぞれ取り付けられ、
前記ロアシュラウドの前記上側横壁部の前端が前記フロントバンパの背面近傍に位置することを特徴とする車体前部構造。
【請求項３】
前記フロントバンパの背面には、後方に前記上側横壁部または前記下側横壁部の先端が配置される位置に、後方側が開口したコの字形状の受け部が形成されていることを特徴とする請求項１または２に記載の車体前部構造。
【発明の詳細な説明】
【技術分野】
【０００１】
本発明は、車両の前面を構成するフロントバンパを含む車体前部構造に関するものである。
【背景技術】
【０００２】
車体前部では、車両の前面衝突時の衝撃を緩和するために荷重吸収性能が求められる。例えば特許文献１の車両用ダクト構造では、熱交換器であるラジエータの前側に配置される導風シュラウドに凹部を設け、衝突時の衝撃によってダクトの後端部が凹部内に入り込むように変形することにより、荷重（衝撃エネルギー）を吸収している。
【先行技術文献】
【特許文献】
【０００３】
【特許文献１】特開２００６−１９３０７８号公報
【発明の概要】
【発明が解決しようとする課題】
【０００４】
特許文献１にも開示されているように、一般にシュラウドはラジエータに直接取り付けられることが多い。このため、特許文献１のような構成であると、衝突時の荷重によってシュラウドがラジエータと一緒に車両後方側に移動してしまい、荷重を十分に吸収できないおそれがある。
【０００５】
本発明は、このような課題に鑑み、前面衝突時の荷重を好適に吸収し、被衝突体への衝撃を軽減することが可能な車体前部構造を提供することを目的としている。
【課題を解決するための手段】
【０００６】
上記課題を解決するために、本発明にかかる車体前部構造の代表的な構成は、車両の前面を構成するフロントバンパを含む車体前部構造において、当該車体前部構造は、フロントバンパの車両後方側に配置され前面視で枠型の形状を有する枠形状部材と、車体の骨格を構成する車体構造部材とを更に含み、枠形状部材は、上下方向に延びる一対の縦壁部と、車幅方向に延びて一対の縦壁部の上部を接続する上側横壁部と、車幅方向に延びて一対の縦壁部の下部を接続する下側横壁部とを有し、上側横壁部および下側横壁部の後端は、車体構造部材に取り付けられていて、上側横壁部および下側横壁部の少なくとも一方の前端は、フロントバンパの背面近傍に位置することを特徴とする。
【０００７】
上記構成によれば、枠形状部材の上側横壁部および下側横壁部の後端は車体構造部材に取り付けられているため、衝突時に前方からの荷重がかかっても枠形状部材の車両後方への移動が生じることがない。そして、上側横壁部や下側横壁部の前端がフロントバンパの背面近傍に位置することにより、衝突時にフロントバンパが変形した際、フロントバンパが前端に接触し、上側横壁部や下側横壁部が突っ張った状態となる。これにより、枠形状部材が車体構造部材とフロントバンパとの間でしなりながら荷重を吸収することができるため、被衝突体への衝撃を軽減することが可能となる。
【０００８】
当該車体前部構造は更に、フロントバンパの車両後方側に配置された熱交換部品を含み、車体構造部材は、フロントバンパと熱交換部品との間に配置され前面視で熱交換部品に重なる位置で車幅方向に延びるバンパメンバと、熱交換部品の上方に配置されて車幅方向に延びるフードロックメンバとを有し、枠形状部材は、フロントバンパと熱交換部品との間であってバンパメンバの上方に配置されて熱交換部品に外気を誘導するアッパシュラウドであり、アッパシュラウドの上側横壁部の後端がフードロックメンバに、下側横壁部の後端がバンパメンバにそれぞれ取り付けられ、アッパシュラウドの下側横壁部の前端がフロントバンパの背面近傍に位置するとよい。
【０００９】
かかる構成によれば、アッパシュラウドによって上述した衝突時の荷重を吸収することができる。すなわち、アッパシュラウドを荷重吸収部品として機能させることができる。したがって、車体前部に荷重を吸収するための部材を別途配置する必要がなく、部品コストの削減を図ることが可能となる。
【００１０】
当該車体前部構造は更に、フロントバンパの車両後方側に配置された熱交換部品を含み、車体構造部材は、フロントバンパと熱交換部品との間に配置され前面視で熱交換部品に重なる位置で車幅方向に延びるバンパメンバと、熱交換部品の下方に配置されて車幅方向に延びるロアクロスメンバとを有し、枠形状部材は、フロントバンパと熱交換部品との間であってバンパメンバの下方に配置されて熱交換部品に外気を誘導するロアシュラウドであり、ロアシュラウドの上側横壁部の後端がバンパメンバに、下側横壁部の後端がロアクロスメンバにそれぞれ取り付けられ、ロアシュラウドの上側横壁部の前端がフロントバンパの背面近傍に位置するとよい。
【００１１】
かかる構成によれば、ロアシュラウドによって上述した衝突時の荷重を吸収することができる。すなわち、ロアシュラウドを荷重吸収部品として機能させることができる。したがって、車体前部に荷重を吸収するための部材を別途配置する必要がなく、部品コストの削減を図ることが可能となる。
【００１２】
上記フロントバンパの背面には、後方に上側横壁部または下側横壁部の先端が配置される位置に、後方側が開口したコの字形状の受け部が形成されているとよい。これにより、衝突時に、上側横壁部や下側横壁部の先端をフロントバンパの背面に留めておくことができるため、より効率的に荷重を吸収することが可能となる。
【発明の効果】
【００１３】
本発明によれば、前面衝突時の荷重を好適に吸収し、被衝突体への衝撃を軽減することが可能な車体前部構造を提供することができる。
【図面の簡単な説明】
【００１４】
【図１】本実施形態の車体前部構造を示す図である。
【図２】図１のフロントバンパを取り外した状態を示す図である。
【図３】図２のＡ−Ａ断面図である。
【発明を実施するための形態】
【００１５】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
図１は、本実施形態の車体前部構造１００を示す図であり、フロントバンパ１１０を取り付けた状態を図示している。図２は、図１のフロントバンパを取り外した状態を示す図である。なお、本実施形態の各図中、矢印Ｆ、Ｒ、ＷＬ、ＷＲ、Ｕ、Ｄはそれぞれ車両の前後左右上下方向を示す。
【００１７】
図１に示すように、本実施形態の車体前部構造１００において、車両の前面はフロントバンパ１１０によって構成される。フロントバンパ１１０の車幅方向中央の上部および下部には、後述する熱交換部品（コンデンサ１０２やラジエータ１０４）への外気導入口となる上側開口部１１０ａおよび下側開口部１１０ｂがそれぞれ形成されている。
【００１８】
図３は、図２のＡ−Ａ断面図であり、理解を容易にするために図２で不図示としたフロントバンパ１１０を図示している。図３に示すように、フロントバンパ１１０の車両後方側には、熱交換部材であるコンデンサ１０２およびラジエータ１０４が配置されている。
【００１９】
またフロントバンパ１１０の後方には車体の骨格を構成する車体構造部材が配置される。本実施形態では、車体構造部材として、図２示すバンパメンバ１８０、フードロックメンバ１８２およびロアクロスメンバ１８４を例示している。バンパメンバ１８０は、図３に示すようにフロントバンパ１１０と熱交換部品（コンデンサ１０２やラジエータ１０４）との間に配置され、図２に示すように前面視で熱交換部品に重なる位置で車幅方向に延びる部材である。より具体的には、バンパメンバ１８０は、図３に示すようにフロントバンパ１１０の上側開口部１１０ａおよび下側開口部１１０ｂが設けられていない領域の後方に配置されている。
【００２０】
フードロックメンバ１８２は、熱交換部品の上方に配置されて車幅方向に延びる部材である。ロアクロスメンバ１８４は、熱交換部品の下方に配置されて車幅方向に延びる部材である。図２に示すように、これらのバンパメンバ１８０、フードロックメンバ１８２およびロアクロスメンバ１８４の車幅方向外側の端部は、左右一対に配置されたランプサポートブレース１８６ａ・１８６ｂおよびラジエータサポートブレース１８８ａ・１８８ｂによって接続されている。
【００２１】
図２および図３に示すように、本実施形態の車体前部構造１００は、フロントバンパ１１０の車両後方側に配置され前面視で枠型の形状を有する枠形状部材として、アッパシュラウド１２０およびロアシュラウド１３０を備える。なお、以下の説明では、枠形状部材としてアッパシュラウド１２０およびロアシュラウド１３０を例示して説明するが、これらに限定するものではなく、他の部材を枠形状部材として設けることも可能である。
【００２２】
図３に示すように、アッパシュラウド１２０は、フロントバンパ１１０と熱交換部品との間であってバンパメンバ１８０の上方に配置され、熱交換部品に外気を誘導する。図２に示すように、アッパシュラウド１２０は、上下方向に延びる一対の縦壁部１２２ａ・１２２ｂを有する。この一対の縦壁部１２２ａ・１２２ｂは、車幅方向に延びる上側横壁部１２４および下側横壁部１２６によって上部および下部がそれぞれ接続されている。
【００２３】
アッパシュラウド１２０は、上側横壁部１２４の後端がフードロックメンバ１８２に取り付けられ、下側横壁部１２６の後端がバンパメンバ１８０にそれぞれ取り付けられる。このように上側横壁部１２４および下側横壁部１２６の後端が車体構造部材であるフードロックメンバ１８２およびバンパメンバ１８０に取り付けられていることにより、衝突時に前方からの荷重がかかった際のアッパシュラウド１２０の車両後方への移動を抑制することができる。
【００２４】
一方、図３に示すように、アッパシュラウド１２０の上側横壁部１２４および下側横壁部１２６のうち、下側横壁部１２６の前端はフロントバンパ１１０の背面近傍に位置する。これにより、衝突時にフロントバンパ１１０が変形してアッパシュラウド１２０の下側横壁部１２６の前端に接触すると、下側横壁部１２６が突っ張った状態となる。したがって、アッパシュラウド１２０が車体構造部材とフロントバンパ１１０との間でしなりながら荷重を吸収することができ、被衝突体への衝撃を軽減することが可能となる。
【００２５】
また上記説明したようにアッパシュラウド１２０を枠形状部材とすることにより、外気誘導部品であるアッパシュラウド１２０を、荷重吸収部品であるアブソーバとして機能させることができる。したがって、別途アブソーバを配置する必要がなくなるため、部品点数ひいては部品コストの削減を図ることが可能となる。
【００２６】
図３に示すように、ロアシュラウド１３０は、フロントバンパ１１０と熱交換部品との間であってバンパメンバ１８０の下方に配置され、熱交換部品に外気を誘導する。図２に示すように、ロアシュラウド１３０は、上下方向に延びる一対の縦壁部１３２ａ・１３２ｂを有する。この一対の縦壁部１３２ａ・１３２ｂは、車幅方向に延びる上側横壁部１３４および下側横壁部１３６によって上部および下部がそれぞれ接続されている。
【００２７】
ロアシュラウド１３０は、上側横壁部１３４の後端がバンパメンバ１８０に取り付けられ、下側横壁部１３６の後端がロアクロスメンバ１８４に取り付けられる。このように上側横壁部１３４および下側横壁部１３６の後端が車体構造部材であるバンパメンバ１８０およびロアクロスメンバ１８４に取り付けられていることにより、衝突時に前方からの荷重がかかった際のロアシュラウド１３０の車両後方への移動を抑制することができる。
【００２８】
一方、図３に示すように、ロアシュラウド１３０の上側横壁部１３４および下側横壁部１３６のうち、上側横壁部１３４の前端はフロントバンパ１１０の背面近傍に位置する。これにより、衝突時にフロントバンパ１１０が変形してロアシュラウド１３０の上側横壁部１３４の前端に接触すると、上側横壁部１３４が突っ張った状態となる。したがって、ロアシュラウド１３０が車体構造部材とフロントバンパ１１０との間でしなりながら荷重を吸収することができ、被衝突体への衝撃を軽減することが可能となる。
【００２９】
また上記説明したようにロアシュラウド１３０を枠形状部材とすることにより、外気誘導部品であるロアシュラウド１３０を、荷重吸収部品であるアブソーバとして機能させることができる。したがって、別途アブソーバを配置する必要がなくなるため、部品点数ひいては部品コストの削減を図ることが可能となる。
【００３０】
更に本実施形態では、図３に示すように、フロントバンパ１１０の背面において、後方にロアシュラウド１３０の上側横壁部１３４の先端が配置される位置に、後方側が開口したコの字形状の受け部１１２を形成している。これにより、衝突時に、ロアシュラウド１３０の上側横壁部１３４の先端をフロントバンパ１１０の背面に留めておくことができるため、より効率的に荷重を吸収することができる。なお、本実施形態では、ロアシュラウド１３０の上側横壁部１３４の先端が配置される位置に受け部１１２を形成する構成を例示したが、これに限定するものではなく、アッパシュラウド１２０の下側横壁部１２６の先端が配置される位置に受け部を形成してもよい。
【００３１】
ここで、図３に示すように、本実施形態のアッパシュラウド１２０の上側横壁部１２４は、側方視で後方側が開口した略Ｖ字形状を有する。そして、Ｖ字形状の上端からは上フランジ１２８ａが上方に延び、下端からは下フランジ１２８ｂが下方に延びている。アッパシュラウド１２０の上側横壁部１２４は、上フランジ１２８ａによってフードロックメンバ１８２に取り付けられ、下フランジ１２８ｂとコンデンサ１０２との間にはクッション部材１４０ａが配置されている。
【００３２】
上述したように、アッパシュラウド１２０の上側横壁部１２４を、フードロックメンバ１８２とコンデンサ１０２とに跨るＶ字形状とすることにより、熱交換部品の上方への外気の逃げを防ぐことができる。したがって、コンデンサ１０２ひいてはラジエータ１０４に好適に外気を誘導することができ、外気導入効率の向上が図られる。またアッパシュラウド１２０の上側横壁部１２４とコンデンサ１０２との間にクッション部材１４０ａが配置されていることにより、それらの間への外気の漏れや、衝突時の接触によるコンデンサ１０２やラジエータ１０４の損傷を好適に防ぐことが可能となる。
【００３３】
一方、図３に示すように、本実施形態のロアシュラウド１３０の下側横壁部１３６は、側方視で略Ｔ字形状を有する。そして、Ｔ字形状の車両後方側の端部からは上フランジ１３８ａが上方に延び、下端からは下フランジ１３８ｂが車両後方に延びている。ロアシュラウド１３０の下側横壁部１３６は、下フランジ１３８ｂによってロアクロスメンバ１８４に取り付けられ、上フランジ１３８ａとコンデンサ１０２との間にはクッション部材１４０ｂが配置されている。
【００３４】
上述したように、ロアシュラウド１３０の下側横壁部１３６を、ロアクロスメンバ１８４とコンデンサ１０２とに跨るＴ字形状とすることにより、熱交換部品の下方への外気の逃げを防ぐことができる。したがって、コンデンサ１０２ひいてはラジエータ１０４に好適に外気を誘導することができ、外気導入効率の向上が図られる。またロアシュラウド１３０の下側横壁部１３６とコンデンサ１０２との間にクッション部材１４０ｂが配置されていることにより、それらの間への外気の漏れや、衝突時の接触によるコンデンサ１０２やラジエータ１０４の損傷を好適に防ぐことが可能となる。
【００３５】
また本実施形態では、熱交換部品であるコンデンサ１０２とアッパシュラウド１２０の下フランジ１２８ｂとの距離Ｄ１、およびコンデンサ１０２とロアシュラウド１３０の上フランジ１３８ａとの距離Ｄ２を、それぞれのフランジの長さＬ１・Ｌ２と同等以上としている。これにより、それらのフランジと熱交換部品との接触をより好適に防ぐことが可能となる。
【００３６】
なお、本実施形態では、枠形状部材であるアッパシュラウド１２０およびロアシュラウド１３０を、車幅方向に延びる車体構造部材であるフードロックメンバ１８２やロアクロスメンバ１８４、バンパメンバ１８０に取り付ける構成を例示したが、これに限定するものではない。枠形状部材は、車両高さ方向に延びる車体構造部材であるランプサポートブレース１８６ａ・１８６ｂやラジエータサポートブレース１８８ａ・１８８ｂ（図２参照）に取り付けられてもよく、これによっても上記と同様の効果を得ることが可能である。
【００３７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３８】
本発明は、車両の前面を構成するフロントバンパを含む車体前部構造に利用することができる。
【符号の説明】
【００３９】
１００…車体前部構造、１０２…コンデンサ、１０４…ラジエータ、１１０…フロントバンパ、１１０ａ…上側開口部、１１０ｂ…下側開口部、１１２…受け部、１２０…アッパシュラウド、１２２ａ…縦壁部、１２２ｂ…縦壁部、１２４…上側横壁部、１２６…下側横壁部、１２８ａ…上フランジ、１２８ｂ…下フランジ、１３０…ロアシュラウド、１３２ａ…縦壁部、１３２ｂ…縦壁部、１３４…上側横壁部、１３６…下側横壁部、１３８ａ…上フランジ、１３８ｂ…下フランジ、１４０ａ…クッション部材、１４０ｂ…クッション部材、１８０…バンパメンバ、１８２…フードロックメンバ、１８４…ロアクロスメンバ、１８６ａ…ランプサポートブレース、１８６ｂ…ランプサポートブレース、１８８ａ…ラジエータサポートブレース、１８８ｂ…ラジエータサポートブレース
【図１】
0006447039.tif 000002
【図２】
0006447039.tif 000003
【図３】
0006447039.tif 000004